(57)【要約】      （修正有）【課題】音を拾う音入力部の感度を簡単に検査することが可能な技術を提供する。【解決手段】電子機器は、音を拾う第１音入力部１９０と、第１音入力部１９０の第１感度を検査する検査部とを備える。第１音入力部１９０は、電子機器の表面に位置する第１マイク穴１９１と、第１マイク穴を通じて音が入力される第１マイク１９２とを有する。検査部は、第１マイクの第１出力信号に基づいて第１感度を検査する感度検査を行う。【選択図】図５
2018042137.tif 000002
【特許請求の範囲】
【請求項１】
電子機器であって、
音を拾う第１音入力部と、
前記第１音入力部の第１感度を検査する検査部と
を備え、
前記第１音入力部は、
前記電子機器の表面に位置する第１マイク穴と、
前記第１マイク穴を通じて音が入力される第１マイクと
を有し、
前記検査部は、前記第１マイクの第１出力信号に基づいて前記第１感度を検査する感度検査を行う、電子機器。
【請求項２】
請求項１に記載の電子機器であって、
音を拾う第２音入力部をさらに備え、
前記第２音入力部は、
前記表面に位置する第２マイク穴と、
前記第２マイク穴を通じて音が入力される第２マイクと
を有し、
前記検査部は、前記感度検査において、前記第１出力信号と、前記第２マイクの第２出力信号とに基づいて、前記第１感度と、前記第２音入力部の第２感度とを検査する、電子機器。
【請求項３】
請求項２に記載の電子機器であって、
前記第２出力信号に基づいて前記第１出力信号に含まれるノイズを除去するノイズキャンセル機能の有効及び無効を決定する決定部をさらに備え、
前記決定部は、
前記感度検査において、前記第１及び第２感度の少なくとも一方の感度が異常であると判定されると、前記ノイズキャンセル機能を無効にし、
前記感度検査において、前記第１及び第２感度のそれぞれが正常であると判定されると、前記ノイズキャンセル機能を有効にする、電子機器。
【請求項４】
請求項１乃至請求項３のいずれか一つに記載の電子機器であって、
前記感度検査において前記電子機器は音を出力しない、電子機器。
【請求項５】
請求項１乃至請求項４のいずれか一つに記載の電子機器であって、
スピーカをさらに備え、
前記検査部は、前記感度検査において、前記スピーカの音を拾っている前記第１マイクが出力する前記第１出力信号に基づいて、前記第１感度を検査する、電子機器。
【請求項６】
請求項１乃至請求項５のいずれか一つに記載の電子機器であって、
前記検査部は、前記感度検査において、前記電子機器の外部に位置する音源の音を拾っている前記第１マイクが出力する前記第１出力信号に基づいて、前記第１感度を検査する、電子機器。
【請求項７】
請求項１乃至請求項６のいずれか一つに記載の電子機器であって、
前記検査部は、所定のイベントが発生したときに、前記感度検査を行う、電子機器。
【請求項８】
請求項７に記載の電子機器であって、
前記検査部は、前記電子機器に対して所定の操作が行われたことを前記所定のイベントの発生として、前記感度検査を行う、電子機器。
【請求項９】
請求項７及び請求項８のいずれか一つに記載の電子機器であって、
前記検査部は、前記電子機器が水中から出たことを前記所定のイベントの発生として、前記感度検査を行う、電子機器。
【請求項１０】
請求項７乃至請求項９のいずれか一つに記載の電子機器であって、
前記検査部は、前記電子機器が水中から出てから第１所定時間が経過したことを前記所定のイベントの発生として、前記感度検査を行う、電子機器。
【請求項１１】
請求項７乃至請求項１０のいずれか一つに記載の電子機器であって、
前記検査部は、前記電子機器が水中に入って出た回数が所定の複数回数になったことを前記所定のイベントの発生として、前記感度検査を行う、電子機器。
【請求項１２】
請求項７乃至請求項１１のいずれか一つに記載の電子機器であって、
前記検査部は、第２所定時間が経過するたびに前記所定のイベントが発生したとして、前記感度検査を行う、電子機器。
【請求項１３】
請求項７乃至請求項１２のいずれか一つに記載の電子機器であって、
前記検査部は、前記電子機器の起動を前記所定のイベントの発生として、前記感度検査を行う、電子機器。
【請求項１４】
請求項１乃至請求項１３のいずれか一つに記載の電子機器であって、
表示部をさらに備え、
前記表示部は、前記感度検査において前記第１感度が異常であると判定されると、所定のメッセージを表示する、電子機器。
【請求項１５】
音を拾う音入力部を備える電子機器であって、当該音入力部が、当該電子機器の表面に位置するマイク穴と、当該マイク穴を通じて音が入力されるマイクとを有する電子機器が備える、当該電子機器を制御する制御装置であって、
前記マイクの出力信号に基づいて前記音入力部の感度を検査する検査部を備える、制御装置。
【請求項１６】
音を拾う音入力部を備える電子機器であって、当該音入力部が、当該電子機器の表面に位置するマイク穴と、当該マイク穴を通じて音が入力されるマイクとを有する電子機器を制御するための制御プログラムであって、
前記電子機器に、前記マイクの出力信号に基づいて前記音入力部の感度を検査させるための制御プログラム。
【請求項１７】
音を拾う音入力部を備える電子機器であって、当該音入力部が、当該電子機器の表面に位置するマイク穴と、当該マイク穴を通じて音が入力されるマイクとを有する電子機器での感度検査方法であって、
前記マイクの出力信号に基づいて前記音入力部の感度を検査する工程を備える、感度検査方法。
【発明の詳細な説明】
【技術分野】
【０００１】
本開示は、電子機器に関する。
【背景技術】
【０００２】
特許文献１に記載されているように、電子機器に関して様々な技術が提案されている。
【先行技術文献】
【特許文献】
【０００３】
【特許文献１】特開２０１６−１３９６５１号公報
【発明の概要】
【発明が解決しようとする課題】
【０００４】
電子機器は、その表面に位置するマイク穴と、当該マイク穴を通じて音が入力されるマイクとを備える音入力部を備える場合がある。この場合、音入力部の感度を簡単に検査できることが望まれる。
【０００５】
そこで、本発明は上述の点に鑑みて成されたものであり、音を拾う音入力部の感度を簡単に検査することが可能な技術を提供することを目的とする。
【課題を解決するための手段】
【０００６】
電子機器、制御装置、制御プログラム及び感度検査方法が開示される。一の実施の形態では、電子機器は、音を拾う第１音入力部と、第１音入力部の第１感度を検査する検査部とを備える。第１音入力部は、電子機器の表面に位置する第１マイク穴と、第１マイク穴を通じて音が入力される第１マイクとを有する。検査部は、第１マイクの第１出力信号に基づいて第１感度を検査する感度検査を行う。
【０００７】
また、一の実施の形態では、制御装置は、音を拾う音入力部を備える電子機器であって、当該音入力部が、当該電子機器の表面に位置するマイク穴と、当該マイク穴を通じて音が入力されるマイクとを有する電子機器が備える、当該電子機器を制御する制御装置である。制御装置は、マイクの出力信号に基づいて音入力部の感度を検査する検査部を備える。
【０００８】
また、一の実施の形態では、制御プログラムは、音を拾う音入力部を備える電子機器であって、当該音入力部が、当該電子機器の表面に位置するマイク穴と、当該マイク穴を通じて音が入力されるマイクとを有する電子機器を制御するための制御プログラムである。制御プログラムは、電子機器に、マイクの出力信号に基づいて音入力部の感度を検査させるためのものである。
【０００９】
また、一の実施の形態では、感度検査方法は、音を拾う音入力部を備える電子機器であって、当該音入力部が、当該電子機器の表面に位置するマイク穴と、当該マイク穴を通じて音が入力されるマイクとを有する電子機器での感度検査方法である。感度検査方法は、マイクの出力信号に基づいて音入力部の感度を検査する工程を備える。
【発明の効果】
【００１０】
音を拾う音入力部の感度を簡単に検査することができる。
【図面の簡単な説明】
【００１１】
【図１】電子機器の外観の一例を示す斜視図である。
【図２】電子機器の外観の一例を示す背面図である。
【図３】電子機器の構成の一例を示す図である。
【図４】電子機器の構成の一例を示す図である。
【図５】制御部の構成の一例を示す図である。
【図６】電子機器の動作の一例を示すフローチャートである。
【図７】電子機器の動作の一例を示すフローチャートである。
【図８】電子機器の表示例を示す図である。
【図９】電子機器の表示例を示す図である。
【図１０】電子機器の構成の一例を示す図である。
【図１１】電子機器の構成の一例を示す図である。
【図１２】制御部の構成の一例を示す図である。
【図１３】電子機器の表示例を示す図である。
【図１４】感度検査が行われる様子の一例を示す図である。
【図１５】電子機器の構成の一例を示す図である。
【図１６】電子機器の表示例を示す図である。
【発明を実施するための形態】
【００１２】
＜電子機器の外観＞
図１及び２は電子機器１の外観の一例を示す斜視図及び背面図である。電子機器１は、例えば、スマートフォン等の携帯電話機である。図１及び２に示されるように、電子機器１は、平面視で略長方形の板状の機器ケース１０を備えている。機器ケース１０は、筐体とも呼ばれ、電子機器１の外装を構成している。
【００１３】
電子機器１の前面１ａ、つまり機器ケース１０の前面には、文字、記号、図形等の各種情報が表示される表示領域１２１が位置している。表示領域１２１の背面側には後述するタッチパネル１３０が位置している。これにより、ユーザは、電子機器１の前面１ａの表示領域１２１を指等で操作することによって、電子機器１に対して各種情報を入力することができる。なお、ユーザは、指以外の操作子、例えば、スタイラスペンなどのタッチパネル用ペンで表示領域１２１を操作することによっても、電子機器１に対して各種情報を入力することができる。
【００１４】
電子機器１の前面１ａ（機器ケース１０の前面）の上側端部にはレシーバ穴１７１が位置している。電子機器１の背面１ｂ（機器ケース１０の背面）の上側端部にはスピーカ穴１８１が位置している。電子機器１の下側の側面１ｃにはマイク穴１９１が位置している。レシーバ穴１７１、スピーカ穴１８１及びマイク穴１９１は、機器ケース１０に設けられている。
【００１５】
電子機器１の前面１ａの上側端部からは、後述する第１カメラ１５０が有するレンズ１５１が視認可能となっている。電子機器１の背面１ｂの上側端部からは、後述する第２カメラ１６０が有するレンズ１６１が視認可能となっている。
【００１６】
電子機器１は、複数の操作ボタン１４１〜１４３から成る操作ボタン群１４０を備えている。操作ボタン１４１〜１４３のそれぞれはハードウェアボタンである。具体的には、操作ボタン１４１〜１４３のそれぞれは押しボタンである。操作ボタン１４１〜１４３は、電子機器１の前面１ａの下側端部に位置している。
【００１７】
操作ボタン１４１は、例えばバックボタンである。バックボタンは、表示領域１２１の表示を一つ前の表示に切り替えるための操作ボタンである。ユーザが操作ボタン１４１を操作することよって、表示領域１２１の表示が一つ前の表示に切り替わる。
【００１８】
操作ボタン１４２は、例えばホームボタンである。ホームボタンは、表示領域１２１にホーム画面を表示させるための操作ボタンである。ユーザが操作ボタン１４２を操作することよって、表示領域１２１にホーム画面が表示される。
【００１９】
操作ボタン１４３は、例えば履歴ボタンである。履歴ボタンは、電子機器１で実行されたアプリケーションの履歴を表示領域１２１に表示させるための操作ボタンである。ユーザが操作ボタン１４３を操作することよって、表示領域１２１には、電子機器１で実行されたアプリケーションの履歴が表示される。
【００２０】
なお、電子機器１の上側の側面１ｄ、右側の側面１ｅ及び左側の側面１ｆの少なくとも一つの側面には、電源ボタン及びボリュームボタン等の図示しない操作ボタン（ハードウェアボタン）が位置している。
【００２１】
＜電子機器の電気的構成＞
図３は電子機器１の電気的構成の一例を主に示すブロック図である。図３に示されるように、電子機器１は、制御部１００、無線通信部１１０、表示部１２０、タッチパネル１３０、操作ボタン群１４０、第１カメラ１５０及び第２カメラ１６０を備える。さらに電子機器１は、第１音出力部１７０、第２音出力部１８０、音入力部１９０及び電池２００を備える。
【００２２】
制御部１００は、電子機器１の他の構成要素を制御することによって、電子機器１の動作を統括的に管理することが可能である。制御部１００は制御装置とも言える。制御部１００は、以下にさらに詳細に述べられるように、種々の機能を実行するための制御及び処理能力を提供するために、少なくとも１つのプロセッサを含む。
【００２３】
種々の実施形態によれば、少なくとも１つのプロセッサは、単一の集積回路（ＩＣ）として、又は複数の通信可能に接続された集積回路ＩＣ及び／又はディスクリート回路（discrete circuits）として実行されてもよい。少なくとも１つのプロセッサは、種々の既知の技術に従って実行されることが可能である。
【００２４】
１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェア（例えば、ディスクリートロジックコンポーネント）であってもよい。
【００２５】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス及び構成の組み合わせを含み、以下に説明される機能を実行してもよい。
【００２６】
本例では、制御部１００は、ＣＰＵ（Central Processing Unit）１０１、ＤＳＰ（Digital Signal Processor）１０２及び記憶部１０３を備えている。記憶部１０３は、ＲＯＭ（Read Only Memory）及びＲＡＭ（Random Access Memory）などの、ＣＰＵ１０１及びＤＳＰ１０２が読み取り可能な非一時的な記録媒体を含む。記憶部１０３が有するＲＯＭは、例えば、不揮発性メモリであるフラッシュＲＯＭ（フラッシュメモリ）である。記憶部１０３には、電子機器１を制御するための複数の制御プログラム１０３ａ等が記憶されている。制御部１００の各種機能は、ＣＰＵ１０１及びＤＳＰ１０２が記憶部１０３内の各種制御プログラム１０３ａを実行することによって実現される。
【００２７】
なお、制御部１００の全ての機能あるいは制御部１００の一部の機能は、その機能の実現にソフトウェアが不要なハードウェア回路によって実現されてもよい。また、記憶部１０３は、ＲＯＭ及びＲＡＭ以外の、コンピュータが読み取り可能な非一時的な記録媒体を備えていてもよい。記憶部１０３は、例えば、小型のハードディスクドライブ及びＳＳＤ（Solid State Drive）などを備えてもよい。
【００２８】
記憶部１０３内の複数の制御プログラム１０３ａには、様々なアプリケーション（アプリケーションプログラム）が含まれている。記憶部１０３には、例えば、音声通話及びビデオ通話を行うための通話アプリケーション、ウェブサイトを表示するためのブラウザ、電子メールの作成、閲覧及び送受信を行うためのメールアプリケーションが記憶されている。また記憶部１０３には、第１カメラ１５０及び第２カメラ１６０を利用して被写体を撮影するためのカメラアプリケーション、記憶部１０３に記録されている静止画及び動画を表示するための記録画像表示アプリケーション、記憶部１０３に記憶されている音楽データの再生制御を行うための音楽再生制御アプリケーションなどが記憶されている。記憶部１０３内の少なくとも一つのアプリケーションは、記憶部１０３内にあらかじめ記憶されているものであってよい。また、記憶部１０３内の少なくとも一つのアプリケーションは、電子機器１が他の装置からダウンロードして記憶部１０３内に記憶したものであってよい。
【００２９】
無線通信部１１０は、アンテナ１１１を有している。無線通信部１１０は、アンテナ１１１を用いて、制御部１００による制御よって無線通信を行うことが可能である。無線通信部１１０は、電子機器１とは別の携帯電話機からの信号、あるいはインターネットに接続されたウェブサーバ等の通信装置からの信号を、基地局等を介してアンテナ１１１で受信することが可能である。無線通信部１１０は、受信信号に対して増幅処理及びダウンコンバートを行って制御部１００に出力することが可能である。制御部１００は、入力される受信信号に対して復調処理等を行って、当該受信信号に含まれるユーザデータ及び制御データ等を取得することが可能である。また無線通信部１１０は、制御部１００で生成された、ユーザデータ及び制御データ等を含む送信信号に対してアップコンバート及び増幅処理を行って、処理後の送信信号をアンテナ１１１から無線送信することが可能である。アンテナ１１１からの送信信号は、基地局等を通じて、電子機器１とは別の携帯電話機、あるいはインターネット等に接続された通信装置で受信される。
【００３０】
表示部１２０は、電子機器１の前面１ａに位置する表示領域１２１と、表示パネル１２２とを備えている。表示部１２０は、表示領域１２１に各種情報を表示することが可能である。表示パネル１２２は、例えば、液晶表示パネルあるいは有機ＥＬパネルである。表示パネル１２２は、制御部１００によって制御されることによって、文字、記号、図形などの各種情報を表示することが可能である。表示パネル１２２は、機器ケース１０内において、表示領域１２１と対向している。表示パネル１２２に表示される情報は表示領域１２１に表示される。
【００３１】
タッチパネル１３０は、表示領域１２１に対する指等の操作子による操作を検出することが可能である。タッチパネル１３０は、例えば、投影型静電容量方式のタッチパネルである。タッチパネル１３０は多数の検出点を有している。したがって、タッチパネル１３０は、表示領域１１に対する多数の操作点（接触点）を検出することが可能である。タッチパネル１３０は、例えば、表示領域１２１の裏側に位置する。ユーザが指等の操作子によって表示領域１２１に対して操作を行ったとき、その操作に応じた電気信号をタッチパネル１３０は制御部１００に入力することが可能である。制御部１００は、タッチパネル１３０からの電気信号（出力信号）に基づいて、表示領域１２１に対して行われた操作の内容を特定することが可能である。そして制御部１００は、特定した操作内容に応じた処理を行うことが可能である。
【００３２】
操作ボタン群１４０に含まれる操作ボタン１４１〜１４３のそれぞれは、ユーザによって操作されると、操作されたことを示す操作信号を制御部１００に出力することが可能である。これにより、制御部１００は、操作ボタン１４１〜１４３のそれぞれについて、当該操作ボタンが操作されたか否かを判断することができる。操作信号が入力された制御部１００が他の構成要素を制御することによって、電子機器１では、操作された操作ボタンに割り当てられている機能が実行される。
【００３３】
第１カメラ１５０は、レンズ１５１及びイメージセンサなどを備えている。第２カメラ１６０は、レンズ１６１及びイメージセンサなどを備えている。第１カメラ１５０及び第２カメラ１６０のそれぞれは、制御部１００による制御に基づいて被写体を撮影し、撮影した被写体を示す静止画あるいは動画を生成して制御部１００に出力することが可能である。
【００３４】
第１カメラ１５０のレンズ１５１は、電子機器１の前面１ａから視認可能となっている。したがって、第１カメラ１５０は、電子機器１の前面１ａ側（表示領域１２１側）に存在する被写体を撮影することが可能である。第２カメラ１６０のレンズ１６１は、電子機器１の背面１ｂから視認可能となっている。したがって、第２カメラ１６０は、電子機器１の背面１ｂ側に存在する被写体を撮影することが可能である。以後、第１カメラ１５０と第２カメラ１６０を特に区別する必要がない場合には、それぞれを単に「カメラ」と呼ぶ。
【００３５】
音入力部１９０は、機器ケース１０の表面に位置するマイク穴１９１と、マイク１９２とを備えている。マイク１９２は、電子機器１の外部から入力される音を電気的な音信号に変換して制御部１００に出力することが可能である。電子機器１の外部からの音は、マイク穴１９１から電子機器１の内部に取り込まれてマイク１９２に入力される。
【００３６】
第２音出力部１８０は、機器ケース１０の表面に位置するスピーカ穴１８１と、スピーカ１８２とを備えている。スピーカ１８２は、例えばダイナミックスピーカである。スピーカ１８２は、制御部１００からの電気的な音信号を音に変換して出力することが可能である。スピーカ１８２から出力される音は、スピーカ穴１８１から外部に出力される。ユーザは、スピーカ穴１８１から出力される音を、電子機器１から離れた場所でも聞くことが可能である。
【００３７】
第１音出力部１７０は、機器ケース１０の表面に位置するレシーバ穴１７１と、レシーバ１７２とを備えている。レシーバ１７２は、一種のスピーカであって、受話音を出力することが可能である。レシーバ１７２は例えばダイナミックスピーカである。レシーバ１７２は、制御部１００からの電気的な音信号を音に変換して出力することが可能である。レシーバ１７２から出力される音はレシーバ穴１７１から外部に出力される。レシーバ穴１７１から出力される音の音量は、スピーカ穴１８１から出力される音の音量よりも小さくなっている。ユーザは、レシーバ穴１７１から出力される音を、当該レシーバ穴１７１に耳を近づけることによって聞くことができる。レシーバ穴１７１はスピーカ穴であるとも言える。なお、レシーバ１７２の代わりに、機器ケース１０の前面部分を振動させる、圧電振動素子等の振動素子を設けてもよい。この場合には、音は、当該前面部分の振動によりユーザに伝達され、レシーバ穴１７１が不要になる。
【００３８】
図４は、機器ケース１０内での、レシーバ１７２、スピーカ１８２及びマイク１９２の位置関係の一例の概要を示す図である。図４では、機器ケース１０内の様子が見えるように、機器ケース１０の外形だけが示されている。
【００３９】
図４に示されるように、音入力部１９０は、第１音出力部１７０よりも、第２音出力部１８０から離れて位置している。機器ケース１０の内側の面には、マイク穴１９１を塞ぐように防水シート２１０が貼られている。マイク１９２は、例えば、マイク穴１９１に対して防水シート２１０を間に介して対向している。機器ケース１０の内側の面には、スピーカ穴１８１を塞ぐように防水シート２１１が貼られている。スピーカ１８２は、例えば、スピーカ穴１８１に対して防水シート２１１を間に介して対向している。機器ケース１０の内側の面には、レシーバ穴１７１を塞ぐように防水シート２１２が貼られている。レシーバ１７２は、例えば、レシーバ穴１７１に対して防水シート２１２を間に介して対向している。防水シート２１０，２１１，２１２のそれぞれは、空気を通す材料で構成されている。
【００４０】
電池２００は電子機器１の電源を出力することが可能である。電池２００は例えば充電式の電池である。電池２００から出力される電源は、電子機器１が備える制御部１００及び無線通信部１１０などの各種構成に対して供給される。
【００４１】
＜制御部内の機能ブロック＞
図５は、ＣＰＵ１０１及びＤＳＰ１０２が記憶部１０３内の制御プログラム１０３ａを実行することによって形成される複数の機能ブロックの一部の一例を示す図である。図５に示されるように、制御部１００は、機能ブロックとして、水中判定部３００及び感度検査部３１０を備えている。なお、水中判定部３００及び感度検査部３１０の少なくとも一方は、その機能の実行にソフトウェアが不要なハードウェア回路で実現されてもよい。
【００４２】
感度検査部３１０は、音入力部１９０のマイク１９２の出力信号（音信号）に基づいて音入力部１９０の感度を検査する感度検査を行うことが可能である。感度検査の詳細は後述する。
【００４３】
水中判定部３００は、タッチパネル１３０の出力信号に基づいて、電子機器１が水中に存在するか否かを判定する水中判定を行うことが可能である。水中判定部３００は、機器ケース１０が水中に存在するか否かを判定することが可能であるとも言える。
【００４４】
ここで、電子機器１が水中に存在する場合には、表示領域１２１の全面が水に接触した状態となる。つまり、表示領域１２１の全面が操作された状態となり、タッチパネル１３０が反応する。水中判定では、水中判定部３００は、多数の検出点を有するタッチパネル１３０の出力信号に基づいて表示領域１２１に対する操作点の数を求める。そして、水中判定部３００は、求めた操作点の数がしきい値以上のとき、電子機器１が水中に存在すると判定する。一方で、水中判定部３００は、操作点の数がしきい値未満のときに、電子機器１が水中に存在しないと判定する。水中判定部３００は、操作点の数がしきい値よりも大きいとき、電子機器１が水中に存在すると判定し、操作点の数がしきい値以下のときに、電子機器１が水中に存在しないと判定してもよい。
【００４５】
電子機器１が水中に存在する場合としては、例えば、ユーザが、電子機器１に水中撮影を実行させる場合が考えられる。ユーザが、水中に存在する電子機器１に対して所定の操作を行うと、電子機器１では、カメラが水中に存在する被写体を撮影する。これにより、電子機器１では水中撮影が実行される。
【００４６】
なお電子機器１が、気体または液体の圧力を測定することが可能な圧力センサを備える場合には、水中判定部３００は当該圧力センサの出力信号に基づいて水中判定を行ってもよい。この場合、水中判定部３００は、例えば、圧力センサの出力信号に基づいて圧力値を求める。そして、水中判定部３００は、求めた圧力値としきい値とを比較する。水中判定部３００は、圧力値がしきい値よりも大きい場合には、電子機器１が水中に存在すると判定する。一方で、水中判定部３００は、圧力値がしきい値以下の場合には、電子機器１が水中に存在しないと判定する。水中判定部３００は、圧力値がしきい値以上の場合に電子機器１が水中に存在すると判定し、圧力値がしきい値未満の場合には電子機器１が水中に存在しないと判定してもよい。また、水中判定部３００は、圧力センサの出力信号とタッチパネル１３０の出力信号とに基づいて水中判定を行ってもよい。
【００４７】
＜水中モード＞
電子機器１の動作モードには、水中モードが含まれる。電子機器１が水中に存在すると水中判定部３００が判定すると、電子機器１は水中モードで動作する。水中判定部３００は、例えば定期的に水中判定を行う。以後、水中モードが解除されている状態を「通常モード」と呼ぶ。
【００４８】
図６はカメラプリケーション実行時の電子機器１の動作の一例を示すフローチャートである。制御部１００は、表示領域１２１に対して、カメラアプリケーションの実行を指示する実行指示操作が行われたと判定すると、図６に示されるように、ステップｓ１において、記憶部１０３内のカメラアプリケーションを実行する。カメラアプリケーションの実行中では、ユーザは、電子機器１を操作して、カメラに画像を撮影させることができる。
【００４９】
ステップｓ１の後、ステップｓ２において、水中判定部３００は水中判定を行う。ステップｓ２での水中判定において、電子機器１が水中に存在すると判定されると、ステップｓ３において、制御部１００は電子機器１の動作モードを水中モードに設定する。その後、ステップｓ２が再度実行される。一方で、ステップｓ２での水中判定において、電子機器１が水中に存在しないと判定されると、ステップｓ４において、制御部１００は電子機器１の動作モードを通常モードに設定する。その後、ステップｓ２が再度実行される。ステップｓ２（水中判定）は例えば定期的に繰り返し実行される。
【００５０】
水中モードでは、表示領域１２１に対する操作は無効にされている。そのため、水中モードでは、ユーザは、電子機器１が備えるハードウェアボタンを操作することによって、電子機器１に対して入力を行うことが可能である。ユーザは、例えば、操作ボタン１４１，１４２，１４３以外の図示しないハードウェアボタンを操作することによって、使用するカメラを電子機器１に切り替えさせたり、カメラに動画を撮影させたり、カメラに静止画を撮影させたり、撮影に関する各種設定を電子機器１に変更させたりすることができる。
【００５１】
また水中モードでは、制御部１００は、カメラで撮影された画像に対して、通常モードとは異なる、水中撮影に適した色補正及び歪み補正を行う。これにより、電子機器１は、水中に存在する場合であっても、適切な画像を記憶部１０３に記録することができる。
【００５２】
ユーザは、カメラアプリケーションを実行している電子機器１を水中に入れてもよいし、電子機器１を水中に入れた後に、当該電子機器１にカメラアプリケーションを実行させてもよい。後者の場合には、例えば、カメラアプリケーションを実行していない電子機器１が水中に存在する場合にハードウェアボタンが操作されることによって、カメラアプリケーションが実行され、カメラアプリケーションの実行の開始とともに、電子機器１の動作モードが水中モードに設定される。
【００５３】
＜感度検査＞
電子機器１では、音を拾う音入力部１９０の感度が低下することがある。例えば、マイク穴１９１に異物がつまることによってマイク穴１９１に音が入りにくくなり、その結果、音入力部１９０の感度が低下することがある。例えば、上述のように電子機器１が水中で使用された後、電子機器１が水中から出たとき、マイク穴１９１に水が詰まることがある。また、電子機器１が海水から出てからしばらく経過した後には、マイク穴１９１に詰まっていた海水の水分は蒸発するものの、マイク穴１９１に塩が残ることがある。また、電子機器１が洗剤で洗うことが可能である場合、マイク穴１９１に洗剤が詰まることがある。また、電子機器１が洗剤で洗われた後、しばらく経過した後には、マイク穴１９１に詰まっていた洗剤の水分は蒸発するものの、マイク穴１９１にその他の成分が残ることがある。このような場合には、マイク穴１９１に音が入りにくくなり、音入力部１９０の感度が低下することがある。特に、機器ケース１０の内側の面には、マイク穴１９１を塞ぐように防水シート２１０が貼られていることから、機器ケース１０に設けられたマイク穴１９１には異物が詰まりやすい。
【００５４】
また、電子機器１が地上で使用される場合にも、マイク穴１９１に埃あるいは塵などの異物が詰まることがあり、音入力部１９０の感度が低下することがある。また、マイク穴１９１に異物が詰まっていない場合であっても、マイク１９２の動作が異常となって、音入力部１９０の感度が低下することがある。
【００５５】
そこで、電子機器１では、感度検査部３１０が、マイク１９２の出力信号に基づいて音入力部１９０の感度を検査する感度検査を行う。本例では、例えばスピーカ１８２が使用されて感度検査が行われる。図７は感度検査の一例を示すフローチャートである。以後、単に感度と言えば、音入力部１９０の感度を意味する。
【００５６】
図７に示されるように、感度検査部３１０は、ステップｓ１１において、スピーカ１８２から音を出力させる。感度検査部３１０は、スピーカ１８２から、例えば検査用トーン音を一定の検査用音量で出力させる。感度検査部３１０は、例えば１ｋＨｚの検査用トーン音をスピーカ１８２ら出力させる。
【００５７】
次にステップｓ１２において、感度検査部３１０は、マイク１９２の出力信号に基づいて、音入力部１９０の感度を検査する。このとき、スピーカ１８２から出力される検査用トーン音は、スピーカ穴１８１から電子機器１の外部に出力され、マイク穴１９１を通じてマイク１９２に入力されている。したがって、ステップｓ１２において、感度検査部３１０は、スピーカ１８２からの検査用トーン音が入力されているマイク１９２の出力信号に基づいて、音入力部１９０の感度を検査することになる。マイク１９２の出力信号（音信号）は、マイク１９２が拾う検査用トーン音を示す。
【００５８】
ステップｓ１２において、感度検査部３１０は、マイク１９２の出力信号に基づいて、例えば、マイク１９２で拾われている検査用トーン音の音量を求める。そして、感度検査部３１０は、求めた音量が基準値と同じであれば、感度が正常であると判定する。一方で、感度検査部３１０は、求めた音量が基準値よりも小さければ、感度が低下して異常であると判定する。
【００５９】
なお、感度検査部３１０は、求めた音量が、基準値と同等であれば感度が正常であると判定し、基準値と同等でなければ感度が異常であると判定してもよい。この場合、感度検査部３１０は、例えば、求めた音量と基準値との差分の絶対値を求める。そして、感度検査部３１０は、求めた絶対値がしきい値以下であれば、求めた音量が基準値と同等であると判断する。一方で、感度検査部３１０は、求めた絶対値がしきい値よりも大きければ、求めた音量が基準値と同等ではないと判断する。感度検査部３１０は、求めた絶対値がしきい値未満であれば、求めた音量が基準値と同等であると判断し、しきい値以上であれば、求めた音量が基準値と同等ではないと判断してもよい。
【００６０】
基準値は記憶部１０３に予め記憶されている。基準値は、スピーカ１８２がステップｓ１１と同様に検査用トーン音を検査用音量で出力している場合に、感度が正常な音入力部１９０のマイク１９２の出力信号に基づいて感度検査部３１０が求めた値である。すなわち、基準値は、感度が正常な音入力部１９０のマイク１９２が拾う前記検査用トーン音の音量であればよい。
【００６１】
ステップｓ１２の後、感度検査部３１０は、ステップｓ１３において、スピーカ１８２に検査用トーン音の出力を停止させる。これにより、感度検査が終了する。
【００６２】
このように、電子機器１は、マイク１９２の出力信号に基づいて、音入力部１９０の感度を検査することから、特に新たな構成を電子機器１に追加することなく簡単に音入力部１９０の感度を検査することができる。
【００６３】
＜感度検査の実行タイミング＞
感度検査部３１０は、例えば、所定のイベントが発生したとき、感度検査を行う。以後、当該所定のイベントを「実行開始イベント」と呼ぶことがある。以下に感度検査が実行されるタイミングの各種例について説明する。
【００６４】
＜第１の実行タイミング＞
本例では、実行開始イベントは、電子機器１が水中から出ることである。感度検査部３１０は、電子機器１が水中から出たことを実行開始イベントの発生として感度検査を行う。
【００６５】
水中判定部３００は、定期的に行う水中判定の結果に基づいて、電子機器１が水中から出たか否かを定期的に判定する。水中判定部３００は、ある水中判定において、電子機器１が水中に存在するという判定結果が得られ、その次の水中判定において電子機器１が水中に存在しないという判定結果が得られた場合、電子機器１が水中から出たと判定する。感度検査部３１０は、水中判定部３００において電子機器１が水中から出たと判定されると、図７に示される感度検査を行う。電子機器１が水中から出たと判定されるタイミングを「第１の実行タイミング」と呼ぶと、感度検査部３１０は、第１の実行タイミングになると感度検査を行うと言える。感度検査部３１０は、水中判定部３００において電子機器１が水中から出たと判定されるたびに感度検査を行う。
【００６６】
このように、本例では、電子機器１が水中から出たときに感度検査が行われる。したがって、水中から出た電子機器１のマイク穴１９１に海水等の水が詰まっている場合には、電子機器１は、音入力部１９０の感度の異常を検出することができる。
【００６７】
＜第２の実行タイミング＞
本例では、実行開始イベントは、電子機器１が水中から出てから第１所定時間が経過することである。感度検査部３１０は、電子機器１が水中から出てから第１所定時間が経過したことを実行開始イベントの発生として感度検査を行う。第１所定時間は、例えば、数十分あるいは数時間に設定される。
【００６８】
感度検査部３１０は、水中判定部３００において電子機器１が水中から出たと判定されるたびに、そこから第１所定時間が経過したか否かを判定する。感度検査部３１０は、水中判定部３００において電子機器１が水中から出たと判定されてから第１所定時間が経過したと判定すると、感度検査を行う。電子機器１が水中から出たと判定されてから第１所定時間が経過したと判定されるタイミングを「第２の実行タイミング」と呼ぶと、感度検査部３１０は、第２の実行タイミングになると感度検査を行うと言える。
【００６９】
このように、本例では、電子機器１が水中から出てから第１所定時間が経過すると、感度検査が行われる。したがって、水中から出た電子機器１のマイク穴１９１に海水等の水が詰まっている場合には、電子機器１は、音入力部１９０の感度の異常を検出することができる。また、電子機器１が海水から出てからしばらく経過した後、マイク穴１９１内の海水の水分が蒸発して残りの成分がマイク穴１９１に残っている場合には、電子機器１は音入力部１９０の感度の異常を検出することができる。
【００７０】
＜第３の実行タイミング＞
本例では、実行開始イベントは、電子機器１が水中に入って出た回数が所定の複数回数になることである。感度検査部３１０は、電子機器１が水中に入って出た回数が所定の複数回数になったことを実行開始イベントの発生として感度検査を行う。所定の複数回数は、例えば、数回あるいは数十回に設定される。
【００７１】
感度検査部３１０は、水中判定部３００において電子機器１が水中から出たと判定された回数をカウントする。そして、感度検査部３１０は、カウント回数が所定の複数回数になると、感度検査を行うとともに、カウント回数をリセットする。そして、感度検査部３１０は、同様に動作する。電子機器１が水中に入って出た回数が所定の複数回数になったと判定されるタイミングを「第３の実行タイミング」と呼ぶと、感度検査部３１０は、第３の実行タイミングになると感度検査を行うと言える。
【００７２】
このように、本例では、電子機器１が水中に入って出た回数が所定の複数回数になると、感度検査が行われる。電子機器１が水中に入って出た回数が少ない状態では、マイク穴１９１に異物が詰まっている可能性が低い。本例のように、感度検査部３１０が、電子機器１が水中に入って出た回数が所定の複数回数になると感度検査を行うことによって、効率よく感度検査を行うことができる。
【００７３】
＜第４の実行タイミング＞
本例では、実行開始イベントは、第２所定時間が経過することである。感度検査部３１０は、第２所定時間が経過するたびに実行開始イベントが発生したとして感度検査を行う。つまり、感度検査部３１０は、電子機器１が水中に存在するか否かにかかわらず、一定時間が経過するたびに感度検査を行う。
【００７４】
感度検査部３１０は、第２所定時間を計測し、第２所定時間が経過したと判定すると感度検査を行う。そして、感度検査部３１０は、再度第２所定時間を計測し、第２所定時間が経過したと判定すると感度検査を行う。感度検査部３１０はこれを繰り返し実行する。第２所定時間が経過したと判定されるタイミングを「第４の実行タイミング」と呼ぶと、感度検査部３１０は、第４の実行タイミングになると感度検査を行うと言える。第２所定時間は、上述の第１所定時間と同じであってもよいし、異なってもよい。
【００７５】
このように、本例では、第２所定時間が経過するたびに感度検査が行われる。これにより、電子機器１が地上に存在しているときにマイク穴１９１に異物が詰まった場合であっても、音入力部１９０の感度の異常を検出することができる。
【００７６】
＜第５の実行タイミング＞
本例では、実行開始イベントは、電子機器１の起動である。感度検査部３１０は、電子機器１が起動したことを実行開始イベントの発生として感度検査を行う。
【００７７】
ここで、電子機器１の機器ケース１０の表面に位置する電源ボタンが例えば長押しされると、表示領域１２１には、シャットダウン用のダイアログボックスが表示される。このダイアログボックスに対して所定の操作が行われると、電子機器１はシャットダウンする。電子機器１がシャットダウンすると、電子機器１のほとんどの機能が停止する。シャットダウンされた電子機器１の電源ボタンが例えば長押しされると、電子機器１は起動する。感度検査部３１０は、電子機器１が起動するたびに感度検査を行う。電子機器１が起動するタイミングを「第５の実行タイミング」と呼ぶと、感度検査部３１０は、第５の実行タイミングになると感度検査を行うと言える。
【００７８】
なお、感度検査部３１０は、電子機器１の起動回数が所定の複数回数になったときに感度検査を行ってもよい。この場合には、感度検査部３１０は、電子機器１の起動回数をカウントする。そして、感度検査部３１０は、カウント回数が所定の複数回数になると、感度検査を行うとともに、カウント回数をリセットする。そして、感度検査部３１０は同様に動作する。
【００７９】
このように、本例では、電子機器１が起動すると感度検査が行われる。これにより、電子機器１が起動したときに、音入力部１９０の感度の異常を検出することができる。
【００８０】
＜第６の実行タイミング＞
本例では、実行開始イベントは、電子機器１に対して所定の操作が行われることである。感度検査部３１０は、電子機器１に対して所定の操作が行われたことを実行開始イベントの発生として感度検査を行う。例えば、感度検査部３１０は、タッチパネル１３０の出力信号に基づいて、表示領域１１に対して所定の操作が行われたと判定すると、感度検査を行う。電子機器１に対して所定の操作が行われたと判定されるタイミングを「第６の実行タイミング」とすると、感度検査部３１０は、第６の実行タイミングになると感度検査を行うと言える。
【００８１】
このように、本例では、電子機器１に対して所定の操作が行われると感度検査が行われる。これにより、ユーザは、好きなときに電子機器１に対して所定の操作を行うことによって、所望のタイミングで電子機器１に感度検査を行わせることができる。
【００８２】
なお、表示領域１１に対する操作とは異なる、電子機器１に対する操作が行われたときに、感度検査が行われてもよい。例えば、ユーザによって電子機器１が所定方向（例えば上下方向）に沿って振られたときに、感度検査が行われてもよい。電子機器１が所定方向に沿って振られたか否かについては、例えば、電子機器１の加速度を検出する加速度センサの出力信号に基づいて判定することができる。
【００８３】
以上のように、第１〜第６の実行タイミングについて説明した。感度検査部３１０は、第１〜第６の実行タイミングのそれぞれのタイミングになると感度検査を行ってもよいし、第１〜第６の実行タイミングの一部のタイミングになると感度検査を行ってもよい。つまり、感度検査部３１０は、第１〜第６の実行タイミングのうちの少なくとも一つのタイミングになると感度検査を行ってもよい。
【００８４】
感度検査部３１０が感度検査において感度が異常であると判定すると、制御部１００は表示部１２０に所定のメッセージを表示させてもよい。
【００８５】
図８は表示領域１２１に表示される所定のメッセージの一例を示す図である。感度が異常であると判定されると、例えば、電子機器１を真水で洗うことをユーザに通知する通知メッセージ４００が表示領域１２１に表示される、通知メッセージ４００を見たユーザが電子機器１を真水で洗う場合には、マイク穴１９１に詰まった海水等の異物が真水で洗い流される。電子機器１が真水で洗われてからしばらく時間が経過すると、マイク穴１９１の真水は蒸発し、マイク穴１９１に異物が詰まった状態が解消される。これにより、音入力部１９０の感度が正常に戻る。ユーザは、例えば表示領域１２１に対して所定の操作を行うことによって、電子機器１に通知メッセージ４００の表示を消去させることができる。
【００８６】
また図９に示されるように、例えば、マイク穴１９１に異物が詰まっていることをユーザに通知する通知メッセージ４１０が表示領域１２１に表示されてもよい。これにより、ユーザは、マイク穴１９１に異物が詰まっていることを知ることができる。通知メッセージ４１０を見たユーザが電子機器１を真水で洗う場合には、上述のように、マイク穴１９１に異物が詰まった状態が解消される。これにより、音入力部１９０の感度が正常に戻る。ユーザは、例えば表示領域１２１に対して所定の操作を行うことによって、電子機器１に通知メッセージ４１０の表示を消去させることができる。
【００８７】
また、感度検査で感度が異常であると判定されると、通知メッセージ４００，４１０の両方が表示領域１２１に表示されてもよい。この場合、ユーザは、例えば表示領域１２１に対して所定の操作を行うことによって、電子機器１に通知メッセージ４００，４１０の表示を消去させることができる。
【００８８】
＜各種変形例＞
以下に電子機器１の各種変形例について説明する。
【００８９】
＜第１変形例：複数の音入力部の感度の検査＞
図１０は本変形例に係る電子機器１の構成の一例を示す図である。本変形例に係る電子機器１は、上述の図３に示される電子機器１と比較して、音を拾う第２音入力部２２０をさらに備える。以後、音入力部１９０を「第１音入力部１９０」と呼ぶことがある。
【００９０】
第２音入力部２２０は、電子機器１の表面に位置するマイク穴２２１と、当該マイク穴２２１を介して音が入力されるマイク２２２とを備えている。マイク穴２２１は、電子機器１の上側の側面１ｄ（機器ケース１０の上側の側面）に位置している。マイク穴２２１は機器ケース１０に設けられている。マイク２２２は、電子機器１の外部から入力される音を電気的な音信号に変換して制御部１００に出力することが可能である。電子機器１の外部からの音は、マイク穴２２１から電子機器１の内部に取り込まれてマイク２２２に入力される。
【００９１】
図１１は、機器ケース１０内での、レシーバ１７２、スピーカ１８２、マイク１９２及びマイク２２２の位置関係の一例の概要を示す図である。図１１に示されるように、マイク２２２は、マイク１９２よりもスピーカ１８２の近くに位置している。機器ケース１０の内側の面には、マイク穴２２１を塞ぐように防水シート２１３が貼られている。マイク２２２は、例えば、マイク穴２２１に対して防水シート２１３を間に介して対向している。防水シート２１３は、空気を通す材料で構成されている。
【００９２】
図１２は本変形例に係る制御部１００が備える複数の機能ブロックの一部の一例を示す図である。図１２に示されるように、制御部１００は、機能ブロックとして、決定部３２０及びノイズキャンセル部３３０をさらに備える。決定部３２０及びノイズキャンセル部３３０の少なくとも一方は、その機能の実行にソフトウェアが不要なハードウェア回路で実現されてもよい。
【００９３】
ノイズキャンセル部３３０は、第２音入力部２２０が拾う音に基づいて、第１音入力部１９０が拾う音に含まれるノイズを除去することが可能である。具体的には、ノイズキャンセル部３３０は、第２音入力部２２０の出力信号に基づいて、第１音入力部１９０の出力信号に含まれるノイズを除去することが可能である。第１音入力部１９０がメインの音入力部となっており、第２音入力部２２０がサブの音入力部となっている。
【００９４】
ノイズキャンセル部３３０は、電子機器１が所定の状態のときに、第２音入力部２２０の出力信号に基づいて、第１音入力部１９０の出力信号に含まれるノイズを除去する。例えば、ノイズキャンセル部３３０は、電子機器１がレシーバ１７２及びマイク１９２を用いて音声通話を行っているときに、第２音入力部２２０の出力信号に基づいて、第１音入力部１９０の出力信号に含まれるノイズを除去する。制御部１００は、ノイズが除去された、第１音入力部１９０の出力信号（音信号）を含む送信信号を、無線通信部１１０に送信させる。
【００９５】
ノイズキャンセル部３３０は、例えば、第２音入力部２２０の出力信号の逆位相の信号を、第１音入力部１９０の出力信号に重畳することによって、第１音入力部１９０の出力信号に含まれるノイズを除去する。電子機器１が音声通話を行う場合、ユーザの口は、第１音入力部１９０に近い位置に存在し、第２音入力部２２０から遠い位置に存在する。したがって、第１音入力部１９０はユーザの声をよく拾い、第２音入力部２２０はユーザの声をほとんど拾わない。よって、第２音入力部２２０の出力信号の逆位相の信号が、第１音入力部１９０の出力信号に重畳されることによって、第１音入力部１９０の出力信号に含まれるノイズを除去することができる。なお、第２音入力部２２０の出力信号に基づいて第１音入力部１９０の出力信号に含まれるノイズを除去する方法は、これ以外であってもよい。
【００９６】
決定部３２０は、ノイズキャンセル機能の有効及び無効を決定することが可能である。ノイズキャンセル機能は、例えば、第２音入力部２２０の出力信号に基づいて第１音入力部１９０の出力信号に含まれるノイズを除去する機能を含む。決定部３２０がノイズキャンセル機能を無効にすることを決定すると、ノイズキャンセル部３３０は、電子機器１が所定の状態になったとしても、第２音入力部２２０の出力信号に基づいて第１音入力部１９０の出力信号に含まれるノイズを除去しない。一方で、決定部３２０がノイズキャンセル機能を有効にすることを決定すると、ノイズキャンセル部３３０は、電子機器１が所定の状態になったときに、第２音入力部２２０の出力信号に基づいて第１音入力部１９０の出力信号に含まれるノイズを除去する。決定部３２０の動作については後で詳細に説明する。
【００９７】
＜本変形例の感度検査＞
第１音入力部１９０と同様に、第２音入力部２２０についても、マイク穴２２１に異物がつまることなどによって、その感度が低下することがある。本変形例では、感度検査部３１０は、マイク１９２，２２２の出力信号に基づいて、第１音入力部１９０及び第２音入力部２２０の感度を検査することが可能である。感度検査部３１０は、上述のステップｓ１２において、マイク１９２，２２２の出力信号に基づいて、第１音入力部１９０及び第２音入力部２２０の感度を検査する。以後、第１音入力部１９０及び第２音入力部２２０の感度をそれぞれ「第１感度」及び「第２感度」と呼ぶことがある。また、マイク１９２，２２２の出力信号をそれぞれ「第１出力信号」及び「第２出力信号」と呼ぶことがある。
【００９８】
ステップｓ１２において、感度検査部３１０は、例えば、上記と同様にして第１感度を検査する。また感度検査部３１０は、第１感度の検査と同様にして、第２感度の検査を行う。具体的には、感度検査部３１０は、第２出力信号に基づいて、マイク２２２で拾われた検査用トーン音の音量を求める。そして、感度検査部３１０は、求めた音量が基準値と同じであれば、第２感度が正常であると判定する。一方で、感度検査部３１０は、求めた音量が基準値よりも小さければ、第２感度が低下して異常であると判定する。
【００９９】
以後、第１感度の検査で使用される基準値を「第１基準値」と呼び、第２感度の検査で使用される基準値を「第２基準値」と呼ぶ。また、感度検査部３１０が感度検査で第１出力信号に基づいて求める、マイク１９２で拾われた検査用トーン音の音量を「第１取得音量」と呼ぶことがある。また、感度検査部３１０が感度検査で第２出力信号に基づいて求める、マイク２２２で拾われた検査用トーン音の音量を「第２取得音量」と呼ぶことがある。
【０１００】
感度検査部３１０は、第２取得音量が、第２基準値と同等であれば感度が正常であると判定し、第２基準値と同等でなければ感度が異常であると判定してもよい。この場合、感度検査部３１０は、例えば、第２取得音量と第２基準値との差分の絶対値を求める。そして、感度検査部３１０は、求めた絶対値がしきい値以下であれば、第２取得音量が第２基準値と同等であると判断する。一方で、感度検査部３１０は、求めた絶対値がしきい値よりも大きければ、第２取得音量が第２基準値と同等ではないと判断する。
【０１０１】
第２基準値は、第１基準値と同様に記憶部１０３に予め記憶されている。第２基準値は、スピーカ１８２がステップｓ１１と同様に検査用トーン音を検査用音量で出力している場合に、感度が正常な第２音入力部２２０のマイク２２２の出力信号に基づいて感度検査部３１０が求めた値である。すなわち、第２基準値は、感度が正常な第２音入力部２２０のマイク２２２が拾う前記検査用トーン音の音量であればよい。
【０１０２】
決定部３２０は、感度検査において、第１及び第２感度の少なくとも一方が異常であると判定されると、ノイズキャンセル機能を無効にする。一方で、決定部３２０は、感度検査において、第１及び第２感度のそれぞれが正常であると判定されると、ノイズキャンセル機能を有効にする。
【０１０３】
このように、本変形例では、マイク１９２，２２２の出力信号に基づいて、第１音入力部１９０及び第２音入力部２２０の感度が検査されることから、特に新たな構成を電子機器１に追加することなく簡単に第１音入力部１９０及び第２音入力部２２０の感度を検査することができる。
【０１０４】
また、本変形例では、感度検査において、第１及び第２感度の少なくとも一方が異常であると判定されると、ノイズキャンセル機能が無効にされる。第１及び第２感度の少なくとも一方が異常である場合には、第２音入力部２２０の出力信号に基づいて第１音入力部１９０の出力信号に含まれるノイズを適切に除去することができない可能性がある。その結果、第２音入力部２２０の出力信号に基づいて第１音入力部１９０の出力信号に含まれるノイズを除去しない場合よりも、第１音入力部１９０の出力信号の音質が劣化する可能性がある。本例のように、第１及び第２感度の少なくとも一方が異常であると判定された場合にノイズキャンセル機能が無効にされることによって、第１音入力部１９０の出力信号の音質が劣化する可能性を低減することができる。
【０１０５】
本変形例では、感度検査部３１０は、上記と同様に、第１〜第６の実行タイミングのそれぞれのタイミングになると感度検査を行ってもよいし、第１〜第６の実行タイミングの一部のタイミングになると感度検査を行ってもよい。
【０１０６】
また本変形例では、感度検査部３１０が感度検査において第１感度が異常であると判定した場合には、上記と同様に、制御部１００は表示部１２０に所定のメッセージを表示させてもよい。また、感度検査部３１０が感度検査において第２感度が異常であると判定した場合には、制御部１００は表示部１２０に所定のメッセージを表示させてもよい。例えば、制御部１００は、上述の通知メッセージ４００，４１０の少なくとも一方を表示部１２０に表示させてよい。
【０１０７】
また、感度検査部３１０は、他の方法を用いて第１及び第２感度を検査してもよい。例えば、本変形例とは異なり、マイク穴１９１とスピーカ穴１８１の距離と、マイク穴２２１とスピーカ穴１８１の距離とがほぼ同じであって、第１基準値と第２基準値とがほぼ同じである場合を考える。この場合には、感度検査部３１０は、感度検査において、第１取得音量と第２取得音量とが同等であると判定すれば、第１及び第２感度は正常であると判定する。一方で、感度検査部３１０は、第１取得音量と第２取得音量とが同等ではないと判定すれば、第１及び第２感度の少なくとも一方が異常であると判定する。第１感度と第２感度とが全く同じように低下することはあまり無いことから、感度検査部３１０は、第１取得音量と第２取得音量とが同等である場合には、第１及び第２感度は正常であると判定することができる。感度検査部３１０が感度検査において第１及び第２感度の少なくとも一方が異常であると判定した場合には、決定部３２０はノイズキャンセル機能を無効にする。
【０１０８】
感度検査部３１０は、第１取得音量と第２取得音量とが同等であるか否かの判定を行う際には、例えば、第１取得音量と第２取得音量との差分の絶対値を求める。そして、感度検査部３１０は、求めた絶対値がしきい値以下であれば、第１取得音量と第２取得音量とが同等であると判定する。一方で、感度検査部３１０は、求めた絶対値がしきい値よりも大きければ、第１取得音量と第２取得音量とが同等ではないと判定する。
【０１０９】
感度検査部３１０が感度検査において第１及び第２感度の少なくとも一方が異常であると判定した場合には、上記と同様に、制御部１００は表示部１２０に所定のメッセージを表示させてもよい。
【０１１０】
＜第２変形例：周囲音を利用した感度検査＞
本変形例では、スピーカ１８２が出力する音が使用されずに、周囲音が使用されて感度検査が行われる。本変形例に係る電子機器１の構成は第１変形例に係る電子機器１の構成と同様である。以下に、本変形例と第１変形例との相違点を主に説明する。
【０１１１】
本変形例の感度検査では、スピーカ１８２から音が出力されず、レシーバ１７２からも音が出力されない。つまり、感度検査では、電子機器１からは音は出力されない。感度検査部３１０は、第６の実行タイミングになると感度検査を行う。つまり、感度検査部３１０は、電子機器１に対して所定の操作が行われると感度検査を行う。感度検査部３１０は、電子機器１が音を出力していないときに感度検査を行う。
【０１１２】
ユーザは、電子機器１の周囲が静かな状態で、電子機器１に対して所定の操作を行って、電子機器１に感度検査を行わせる。例えば、ユーザは、静かな部屋で電子機器１に感度検査を実行させたり、電子機器１を箱に入れた状態で電子機器１に感度検査を実行させたりする。感度検査において、感度検査部３１０は、第１出力信号に基づいて、第１音入力部１９０が拾う周囲音の音量を求める。また、感度検査部３１０は、第２出力信号に基づいて、第２音入力部２２０が拾う周囲音の音量を求める。そして、感度検査部３１０は、求めた２つの音量が同等であるか否かを判定する。感度検査部３１０は、求めた２つの音量が同等であると判定すると、第１及び第２感度は正常であると判定する。一方で、感度検査部３１０は、求めた２つの音量が同等ではないと判定すれば、第１及び第２感度の少なくとも一方が異常であると判定する。２つの音量が同等であるか否かの判定方法の一例は、第１及び第２取得音量が同等であるか否かの判定方法と同様である。
【０１１３】
電子機器１の周囲が静かな状態で感度検査が行われる場合には、第１及び第２感度が正常であれば、第１音入力部１９０が拾う周囲音の音量と、第２音入力部２２０が拾う周囲音の音量とは同等である。したがって、電子機器１の周囲が静かな状態で感度検査が行われる場合には、第１及び第２感度が正常であれば、感度検査部３１０が求める２つの音量は同等となる。よって、感度検査部３１０は、求めた２つの音量が同等である場合には、第１及び第２感度は正常であると判定することができる。
【０１１４】
なお、電子機器１に対して所定の操作が行われたとき、電子機器１はすぐに感度検査を行うのではなく、電子機器１の周囲が静かな状態で電子機器１に対して感度検査を実行させることをユーザに通知する通知メッセージ５００を表示してもよい。この場合には、電子機器１は、通知メッセージ５００を表示した後に、電子機器１に対して所定の操作が行われると感度検査を行う。図１３は通知メッセージ５００の一例を示す図である。
【０１１５】
また、感度検査部３１０は、第５の実行タイミングになると感度検査を行ってもよい。つまり、感度検査部３１０は、電子機器１が起動したときに感度検査を行ってもよい。この場合には、ユーザは、例えば、静かな部屋で電子機器１を起動させることによって電子機器１に感度検査を実行させる。また、ユーザは、例えば、電子機器１を箱に入れた状態で電子機器１を起動させることによって電子機器１に感度検査を実行させる。
【０１１６】
このように、本変形例に係る感度検査では、電子機器１が音を出力しないことから、スピーカ１８２が使用されて感度検査が行われる場合よりも、電子機器１の消費電力を低減することができる。
【０１１７】
＜第３変形例：外部音源を利用した感度検査＞
本変形例では、スピーカ１８２の代わりに、電子機器１の外部の音源（以後、「外部音源」と呼ぶ）が使用されて感度検査が行われる。以下に、図１０〜１２に示される構成を有する電子機器１を例にあげて、本変形例の感度検査について説明する。以下では、本変形例と第１変形例との相違点を主に説明する。
【０１１８】
本変形例の感度検査では、第２変形例と同様に、スピーカ１８２から音が出力されず、レシーバ１７２からも音が出力されない。つまり、感度検査では、電子機器１からは音は出力されない。感度検査部３１０は、電子機器１に対して所定の操作が行われたときに感度検査を行う。
【０１１９】
感度検査は、例えば、携帯電話機等の電子機器の販売店等が有する外部音源が使用されて行われる。図１４に示されるように、電子機器１は、外部音源６００との位置関係が所定の位置関係となるように外部音源６００の近傍に配置される。その後、販売店の店員等が、外部音源６００を操作して、外部音源６００から検査用トーン音を一定の検査用音量で出力させる。外部音源６００から検査用トーン音が出力されている状態で、店員等が電子機器１に対して所定の操作を行うと、感度検査部３１０は感度検査を行う。感度検査が終了すると、販売店の店員等が、外部音源６００を操作して、外部音源６００に検査用トーン音の出力を停止させる。ユーザは、電子機器１の調子が悪くなったときに、販売店等に持っていくことによって、電子機器１に感度検査を実行させることができる。外部音源６００が出力する検査用トーン音の周波数は、スピーカ１８２が出力する上述の検査用トーン音の周波数と一致してもよいし、異なってもよい。また、外部音源６００が出力する検査用トーン音の検査用音量は、スピーカ１８２が出力する検査用トーン音の検査用音量と一致してもよいし、異なってもよい。
【０１２０】
本変形例の感度検査では、感度検査部３１０は、第１出力信号に基づいて、マイク１９２で拾われた外部音源６００からの検査用トーン音の音量を第１取得音量として求める。そして、感度検査部３１０は、第１取得音量が第３基準値と同じであれば、第１感度が正常であると判定する。一方で、感度検査部３１０は、第１取得音量が第３基準値よりも小さければ、第１感度が低下して異常であると判定する。また、感度検査部３１０は、第２出力信号に基づいて、マイク２２２で拾われた外部音源６００からのトーン音の音量を第２取得音量として求める。そして、感度検査部３１０は、第２取得音量が第４基準値と同じであれば、第２感度が正常であると判定する。一方で、感度検査部３１０は、第２取得音量が第４基準値よりも小さければ、第２感度が低下して異常であると判定する。
【０１２１】
第３及び第４基準値は記憶部１０３に予め記憶されている。第３基準値は、図１４に示されるように、電子機器１が、外部音源６００との位置関係が所定の位置関係となるように外部音源６００の近傍に配置された状態で、外部音源６００が検査用トーン音を検査用音量で出力している場合に、感度が正常な第１音入力部１９０のマイク１９２の出力信号に基づいて感度検出部３１０が求めた値である。すなわち、第３基準値は、感度が正常な第１音入力部１９０のマイク１９２が拾う前記検査用トーン音の音量であればよい。同様に、第４基準値は、電子機器１が、外部音源６００との位置関係が所定の位置関係となるように外部音源６００の近傍に配置された状態で、外部音源６００が検査用トーン音を検査用音量で出力している場合に、感度が正常な第２音入力部２２０のマイク２２２の出力信号に基づいて感度検出部３１０が求めた値である。すなわち、第４基準値は、感度が正常な第２音入力部２２０のマイク２２２が拾う前記検査用トーン音の音量であればよい。
【０１２２】
このように、本変形例に係る感度検査では、電子機器１が音を出力しないことから、スピーカ１８２が使用されて感度検査が行われる場合よりも、電子機器１の消費電力を低減することができる。
【０１２３】
なお、感度検査部３１０は、電子機器１が起動したときに感度検査を行ってもよい。この場合には、電子機器１が、外部音源６００との位置関係が所定の位置関係となるように外部音源６００の近傍に配置された後、電子機器１が起動されることによって、感度検査が実行される。
【０１２４】
また、感度検査において、電子機器１と外部音源６００の位置関係が、第３基準値と第４基準値とがほぼ同じとなるような位置関係に設定される場合には、感度検査部３１０は、第１及び第２取得音量が同等であるか否かを判定してもよい。そして、感度検査部３１０は、第１及び第２取得音量が、同等であると判定すれば、第１及び第２感度は正常であると判定し、同等ではないと判定すれば第１及び第２感度の少なくとも一方が異常であると判定してもよい。
【０１２５】
また、感度検査で使用される外部音源６００は、販売店以外に設けられてもよい。例えば、外部音源６００は、電子機器１の所有者の住居に設けられてもよい。
【０１２６】
また、図３〜５に示される構成を有する電子機器１が行う感度検査においても、スピーカ１８２の代わりに外部音源６００が使用されてもよい。
【０１２７】
＜その他の変形例＞
レシーバ１７２から出力される音を第１音入力部１９０及び第２音入力部２２０が十分に拾うことができる場合には、感度検査において、スピーカ１８２の代わりに、一種のスピーカであるレシーバ１７２が使用されてもよい。
【０１２８】
また上記の例では、第２音入力部２２０は、第１音入力部１９０の出力信号に含まれるノイズを除去するために使用されているが、第２音入力部２２０の使用例はこれに限られない。
【０１２９】
例えば、図１５に示されるように、第２音出力部１８０が、第２音入力部２２０よりも第１音入力部１９０に近い位置に存在する場合を考える。この場合には、音声通話等においてスピーカ１８２から音が出力されるとき、スピーカ１８２からの音をマイク１９２が拾いやすくなり、ハウリングが生じる可能性がある。電子機器１が図１５のような構成を有する場合には、音声通話等でスピーカ１８２から音が出力されるとき、マイク１９２，２２２のうちのマイク２２２だけを動作させる。この場合には、ノイズキャンセル機能が無効にされ、マイク２２２の出力信号（マイク２２２で拾われる音を示す音信号）を含む無線信号が無線通信部１１０から送信される。一方で、音声通話等でレシーバ１７２から音が出力されているときには、上記の通り、マイク１９２，２２２の両方を動作させて、ノイズキャンセル機能を有効にする。
【０１３０】
また、電子機器１が水中に入っていない状態において、感度検査部３１０が、第１及び第２感度の少なくとも一方が異常であると何回も判定する場合には、マイク１９２，２２２の少なくとも一方が故障している可能性がある。そこで、電子機器１が水中に入っていない状態において、感度検査部３１０が、第１及び第２感度の少なくとも一方が異常であると連続してあるいは不連続で所定回数判定した場合には、電子機器１が故障していることをユーザに通知する通知メッセージ７００を表示部１２０が表示してもよい。図１６は通知メッセージ７００の一例を示す図である。
【０１３１】
また上記の例では、電子機器１は、スマートフォン等の携帯電話機であったが、他の種類の電子機器であってよい。電子機器１は、例えば、タブレット端末、パーソナルコンピュータ、ウェアラブル機器などであってよい。電子機器１として採用されるウェアラブル機器は、リストバンド型あるいは腕時計型などの腕に装着するタイプであってもよいし、ヘッドバンド型あるいはメガネ型などの頭に装着するタイプであってもよいし、服型などの体に装着するタイプであってもよい。
【０１３２】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１３３】
１  電子機器
１０３ａ  制御プログラム
１７２  レシーバ
１８２  スピーカ
１９０  第１音入力部
１９１，２２１  マイク穴
１９２，２２２  マイク
２２０  第２音入力部
３１０  感度検査部
３２０  決定部
【図１】
2018042137.tif 000003
【図２】
2018042137.tif 000004
【図３】
2018042137.tif 000005
【図４】
2018042137.tif 000006
【図５】
2018042137.tif 000007
【図６】
2018042137.tif 000008
【図７】
2018042137.tif 000009
【図８】
2018042137.tif 000010
【図９】
2018042137.tif 000011
【図１０】
2018042137.tif 000012
【図１１】
2018042137.tif 000013
【図１２】
2018042137.tif 000014
【図１３】
2018042137.tif 000015
【図１４】
2018042137.tif 000016
【図１５】
2018042137.tif 000017
【図１６】
2018042137.tif 000018